(57)【要約】【課題】  クレヨンが手に付着することが防止できると共に、クレヨンが折れることを防止でき、また、クレヨンが短くなっても、使いづらくならないようにしたクレヨン保持具を提供する。【解決手段】  中空円筒状の部材からなり、側面に複数の係合穴１１、１２が形成されたホルダー部１と、ホルダー部１の係合穴１１、１２と係合する係合爪２３、２４を有する可動部２とを設ける。可動部２をホルダー部１の一端から挿入し、クレヨン３をホルダー部１の他端から挿入し、可動部２の係合爪２３、２４を、それぞれホルダー部の対応する位置にある係合穴１１、１２に係合させて固定する。クレヨン３の外周がホルダー部１で覆われるため、手を汚さずに、絵を描くことができる。また、クレヨン３が非常に短くなっても、使いづらくなることがない。更に、クレヨン３が保護され、折れ難くなる。【選択図】        図１
2006130723.tif 000002
【特許請求の範囲】
【請求項１】
中空円筒状の部材からなり、側面に複数の第１及び第２係合穴が形成されたホルダー部と、
前記ホルダー部の第１及び第２の係合穴と係合する第１及び第２係合爪を有する可動部とを備え、
前記可動部を前記ホルダー部の一端から挿入し、クレヨンを前記ホルダー部の他端から挿入し、前記可動部の前記第１及び第２の係合爪を、前記ホルダー部の対応する位置にある第１及び第２の係合穴に係合させて可動部を固定するようにしたことを特徴とするクレヨン保持具。
【請求項２】
前記第１及び第２の係合爪にテーパ部を設け、前記可動部を前記ホルダー部に挿入したときに、前記可動部が一方向にのみ段階的に移動可能とするようにしたことを特徴とする請求項１に記載のクレヨン保持具。
【請求項３】
前記ホルダー部の内側に、軸方向に延びる直線状の突起部を設けるようにしたことを特徴とする請求項１に記載のクレヨン保持具。
【請求項４】
前記ホルダー部の内側に、螺旋状の突起部を設けるようにしたことを特徴とする請求項１に記載のクレヨン保持具。
【請求項５】
前記突起部にテーパ部を設けるようにしたことを特徴とする請求項３又は４に記載のクレヨン保持具。
【請求項６】
前記可動部の底面に、ネジを設けるようにしたことを特徴とする請求項１に記載のクレヨン保持具。
【請求項７】
前記可動部の第１及び第２の係合爪をそれぞれ第１及び第２のスライド部の横に設けると共に、前記ホルダー部に軸方向に延びる第１及び第２のスリット部を設け、前記第１及び第２のスリットを中心として前記複数の第１及び第２の係合穴を所定間隔に形成し、前記可動部の第１及び第２の係合爪を、前記ホルダー部の対応する位置にある第１及び第２の係合穴に係合させると共に、前記第１及び第２のスライド部を前記第１及び第２のスリット部に係合させるようにしたことを特徴とする請求項１に記載のクレヨン保持具。
【請求項８】
前記ホルダー部を透明部材又は半透明部材で形成するようにしたことを特徴とする請求項１に記載のクレヨン保持具。
【発明の詳細な説明】
【技術分野】
【０００１】
本発明は、クレヨンに装着して使用するクレヨン保持具に関する。
【背景技術】
【０００２】
従来のクレヨンには、その先端部を残して、紙が巻かれている。クレヨンを直接手で触れると、クレヨンが溶けて手が汚れてしまうが、このように紙が巻かれていると、ユーザは、紙の部分を持って絵を描くことができ、手を汚すことがなくなくなる。
【０００３】
クレヨンは、スティック状のろう絵の具を基本としており、使用を重ねていくに従って、短くなっていく。クレヨンが短くなったとき、従来のクレヨンでは、その先端部の紙を破り、先端からクレヨンを露呈させるようにしている。しかしながら、巻かれている紙を破る際に、紙がきれいに破れないことが多い。
【０００４】
そこで、クレヨンの紙が簡単に且つきれいに破れるように、例えば特許文献１には、クレヨンに巻く紙にミシン目を付けるようにすることが記載されている。
【特許文献１】実開平５−７４８８４号公報
【発明の開示】
【発明が解決しようとする課題】
【０００５】
特許文献１に示されるように、クレヨンに巻く紙にミシン目を付けるようにすれば、クレヨンの紙をきれいに破ることができる。しかしながら、たとえミシン目を付けたとしても、紙がきれいに破れなかったり、紙がクレヨンから外れ落ちてしまったりすることがある。また、紙を巻いただけでは、クレヨンが短くなったときに使いにくく、また、クレヨンが折れることを防止できない。
【０００６】
本発明は、上述の課題を鑑み、クレヨンが手に付着することが防止できると共に、クレヨンが折れることを防止でき、また、クレヨンが短くなっても、使い難くならないようにしたクレヨン保持具を提供することを目的とする。
【課題を解決するための手段】
【０００７】
本発明のクレヨン保持具は、中空円筒状の部材からなり、側面に複数の第１及び第２の係合穴が形成されたホルダー部と、ホルダー部の第１及び第２の係合穴と係合する第１及び第２の係合爪を有する可動部とを備え、可動部をホルダー部の一端から挿入し、クレヨンをホルダー部の他端から挿入し、可動部の第１及び第２の係合爪を、ホルダー部の対応する位置にある第１及び第２の係合穴に係合させて可動部を固定するようにしたことを特徴とする。
【０００８】
本発明のクレヨン保持具は、好ましくは、第１及び第２の係合爪にテーパ部を設け、可動部をホルダー部に挿入したときに、可動部が一方向にのみ段階的に移動可能とするようにしたことを特徴とする。
【０００９】
本発明のクレヨン保持具は、好ましくは、ホルダー部の内側に、軸方向に延びる直線状の突起部を設けるようにしたことを特徴とする。
【００１０】
本発明のクレヨン保持具は、好ましくは、ホルダー部の内側に、螺旋状の突起部を設けるようにしたことを特徴とする。
【００１１】
本発明のクレヨン保持具は、好ましくは、突起部にテーパ部を設けるようにしたことを特徴とする。
【００１２】
本発明のクレヨン保持具は、好ましくは、可動部の底面に、ネジを設けるようにしたことを特徴とする。
【００１３】
本発明のクレヨン保持具は、好ましくは、可動部の第１及び第２の係合爪をそれぞれ第１及び第２のスライド部の横に設けると共に、ホルダー部に軸方向に延びる第１及び第２のスリット部を設け、第１及び第２のスリットを中心として複数の第１及び第２の係合穴を所定間隔に形成し、可動部の第１及び第２の係合爪を、ホルダー部の対応する位置にある第１及び第２の係合穴に係合させると共に、第１及び第２のスライド部を第１及び第２のスリット部に係合させるようにしたことを特徴とする。
【００１４】
本発明のクレヨン保持具は、好ましくは、ホルダー部を透明部材又は半透明部材から形成するようにしたことを特徴とする。
【発明の効果】
【００１５】
本発明によれば、中空円筒状の部材からなり、側面に複数の第１及び第２の係合穴が形成されたホルダー部と、ホルダー部の第１及び第２の係合穴と係合する第１及び第２の係合爪を有する可動部とを備え、可動部をホルダー部の一端から挿入し、クレヨンをホルダー部の他端から挿入し、可動部の第１及び第２の係合爪を、ホルダー部の対応する位置にある第１及び第２の係合穴に係合させて可動部をホルダー部に固定するようにしている。クレヨンにホルダー部を取り付けると、クレヨンの外周がホルダー部で覆われるため、手を汚さずに、絵を描くことができる。また、クレヨンが非常に短くなっても、ホルダー部の長さは変わらないので、使い難くなることがない。更に、クレヨンがホルダー部でカバーされるため、クレヨンが保護され、折れ難くなる。
【００１６】
また、本発明では、第１及び第２の係合爪にテーパ部を設け、可動部をホルダー部に挿入したときに、可動部が一方向にのみ段階的に移動可能となるようにしている。このため、クレヨンが短くなったら、それに合わせて、可動部を下方に移動させてクレヨンの位置を調整することができる。また、絵を描いているときに、クレヨンがホルダー部の中に引っ込んでしまうようなことがない。
【００１７】
また、本発明では、ホルダー部の内側に、軸方向に延びる直線状の突起部を設けるようにしている。このため、ホルダー内でクレヨンが滑らないように確実に固定することができる。
【００１８】
また、本発明では、ホルダー部の内側に、螺旋状の突起部を設けるようにしている。このため、ホルダー内でクレヨンを確実に固定することができる。
【００１９】
また、本発明では、突起部にテーパ部を設けるようにしている。このため、クレヨンをスムーズに挿入することができる。
【００２０】
また、本発明では、可動部の底面に、ネジを設けるようにしている。このため、ホルダー内でクレヨンを確実に固定することができる。
【００２１】
また、本発明では、可動部の第１及び第２の係合爪をそれぞれ第１及び第２のスライド部の横に設けると共に、ホルダー部に軸方向に延びるスリット部を設け、このスリットを中心として複数の第１及び第２の係合穴を所定間隔に形成し、可動部の第１及び第２の係合爪をホルダー部の対応する位置にある第１及び第２の係合穴に係合させると共に、スライド部をスリット部に係合させるようにしている。このため、スライド部を押しながら、スライド部をスリット部に沿って動かせば、可動部を上方にも下方にも簡単に動かすことができる。
【００２２】
また、本発明では、ホルダー部は透明部材又は半透明部材から形成され、クレヨンは包装紙を剥いでホルダー部に挿入される。このため、クレヨンの長さや色が外部から確認でき、管理に便利である。
【発明を実施するための最良の形態】
【００２３】
第１実施形態．
以下、本発明の実施の形態について図面を参照しながら説明する。図１は、本発明の第１実施形態を示すものである。図１において、本発明のクレヨン保持具は、クレヨン３を挿入し保持するホルダー部１、クレヨン３を上下に動かすための可動部２から構成される。
【００２４】
ホルダー部１は、クレヨン３を保持するもので、中空円筒状の部材から形成される。ホルダー部１の内径は、クレヨン３の外径に対応している。ホルダー部１の側面には、複数の係合穴１１と複数の係合穴１２とが所定間隔（例えば８ｍｍ〜１０ｍｍ程度）で互いに対向して穿設されている。ホルダー部１は、例えば、合成樹脂の他、アルミニウムや鉄等の金属を用いて形成することができる。
【００２５】
可動部２は、クレヨン３をホルダー部１に挿入したときに、クレヨン３の位置をホルダー部１に固定させるものである。可動部２の外径は、ホルダー部１の内径より少し小さめに形成される。可動部２には、連結部２１及び２２を介して、係合爪２３及び２４が設けられている。係合爪２３及び２４には、図２に示すように、テーパ部２５及び２６が設けられている。可動部２は、例えば、合成樹脂の他、アルミニウムや鉄等の金属で形成することができる。
【００２６】
クレヨン３は、クレヨン、クレパス（登録商標）又はクーピー（登録商標）として広く販売されているもので、スティック状のろう絵の具を基本としている。
【００２７】
使用時には、図１に示すように、可動部２をホルダー部１の上方から挿入し、クレヨン３を、包装紙を剥いだ状態でホルダー部１の下方から挿入する。なお、クレヨンはホルダー部１の上方からから挿入してもよい。そして、図３に示すように、クレヨン３を、その先端が所定長Ｌ１だけ（例えば１０ｍｍ〜２０ｍｍ程度）突出するまで押し込み、また、可動部２を、その底面がクレヨン３の頭部に当接するまで押し込み、図４に示すように、可動部２の係合爪２３及び２４を、ホルダー部１の対応する位置にある係合穴１１ａ及び１２ａに係合させて固定する。
【００２８】
図３に示すように、クレヨン３にホルダー部１を取り付けると、クレヨン３の外周がホルダー部１で覆われるため、手を汚さずに、絵を描くことができる。また、クレヨン３が短くなっても、ホルダー部１の長さは変わらないので、使い難くなることがない。更に、クレヨン３がホルダー部１でカバーされるため、クレヨン３が保護され、折れ難くなる。
【００２９】
図２に示したように、可動部２の係合爪２３及び２４には、テーパ部２５及び２６が形成されている。したがって、図５（Ａ）において矢印Ａ１で示すように、可動部２に対して下方に力を加えると、係合爪２３及び２４と係合穴１１ａ及び１２ａとの係合状態が外れ、可動部２が段階的に移動可能となる。可動部２を所定の位置まで下方に移動させると、図５（Ｂ）に示すように、係合爪２３及び２４がその位置にある係合穴１１ｂ及び１２ｂに係合して、その位置で固定される。
【００３０】
これに対して、図５に（Ａ）において矢印Ａ２で示すように、可動部２に対して上方に力を加えたときには、係合爪２３及び２４と係合穴１１及び１２との係合状態は外れることはなく、可動部２は移動できない。
【００３１】
このように、可動部２をホルダー部１内に挿入すると、可動部２は、下方には段階的に移動可能になるが、上方には動かないようになる。このため、使用によりクレヨン３が短くなったら、それに合わせて、可動部２を下方に移動させて位置を調整することができる。また、可動部２は、上方には簡単に動かないため、クレヨンの使用状態においては、クレヨン３がホルダー部１の中に引っ込んでしまうことはない。
【００３２】
第２実施形態．
図６は、本発明の第２実施形態を示すものである。上述の第１実施形態では、クレヨン３をホルダー部１内に挿入して固定するようにしていたが、この場合、クレヨン３の外径とホルダー部１の内径とが完全に一致していないと、クレヨン３の落下するおそれがある。そこで、この実施形態では、ホルダー部１の内側に、軸方向に延びる直線状の突起部４１及び４２を設けるようにしている。このような突起部４１及び４２が設けられたホルダー部１内に、クレヨン３を挿入すると、クレヨン３の外側が突起部４１及び４２により直線状に削られて溝が生じ、この溝に突起部４１及び４２が嵌合する。このため、クレヨン３をホルダー部１内に挿入してクレヨンの落下を防止することができる。他の構成については、上述の第１実施形態と同様であり、その説明を省略する。
【００３３】
第３実施形態．
図７は、本発明の第３実施形態を示すものである。この実施形態は、図６に示した第２実施形態において、突起部４１及び４２に、テーパ部４５及び４６を設けたものである。このように、突起部４１及び４２にテーパ部４５及び４６を設けると、ホルダー部１の下部からクレヨン３をスムーズに挿入することができる。他の構成については、上述の第２実施形態と同様であり、その説明を省略する。
【００３４】
第４実施形態．
図８は、本発明の第４実施形態を示すものである。この実施形態は、ホルダー部１の内側に、螺旋状の突起部５１を設けるようにしている。このような螺旋状の突起部５１が設けられたホルダー部１内に、クレヨン３を回転させながら挿入すると、クレヨン３の外周が螺旋状の突起部５１により螺旋状に削られ、クレヨン３の外周に螺旋状の溝が生じ、この螺旋状の溝に、突起部５１が係合する。この場合、クレヨン３とホルダー部１とを螺合したのと同様になり、クレヨン３をホルダー部１内により堅固に固定することができる。なお、ホルダー部１の下部の螺旋状の突起部５１にテーパ部を設けるようにしても良い。他の構成については、上述の第１実施形態と同様であり、その説明を省略する。
【００３５】
第５実施形態．
図９は、本発明の第５実施形態を示すものである。この実施形態では、可動部２の底面に、ネジ５５を設けるようにしている。可動部２をホルダー部１の上方から挿入し、クレヨン３を下方から挿入し、クレヨン３を回転させると、クレヨン３が可動部２の底面のネジ５５に裸合し、クレヨン３が確実に固定される。クレヨンは上方から挿入してもよい。他の構成については、上述の第１実施形態と同様であり、その説明を省略する。
【００３６】
第６実施形態．
図１０は、本発明の第６実施形態を示すものである。この実施形態では、図１０に示すように、可動部２の係合爪２３ａ、２３ｂ、及び２４ａ、２４ｂを、それぞれスライド部６１及び６２の両側に設けるようにしている。また、ホルダー部１に、軸方向に延びるスリット部６５及び６６を設け、このスリット部６５及び６６を中心として、複数の係合穴１１と複数の係合穴１２とを所定間隔に形成するようにしている。
【００３７】
この実施形態では、可動部２をホルダー部１に挿入すると、可動部２の係合爪２３ａ、２３ｂ及び２４ａ、２４ｂがそれぞれホルダー部１の係合穴１１及び係合穴１２に係合すると共に、スライド部６１及び６２がそれぞれホルダー部１のスリット部６５及び６６に係合する。スライド部６２及び６２を押すと、可動部２の係合爪２３ａ、２３ｂ及び２４ａ、２４ｂと、ホルダー部１の係合穴１１及び係合穴１２との係合状態が解除される。このため、この実施形態では、スライド部６１及び６２を押しながら、スライド部６１及び６２をスリット部６５及び６６に沿って動かせば、可動部２を上方にも下方にも簡単に動かすことができる。
【００３８】
第７実施形態．
以上のように、クレヨン３にホルダー部１を取り付けると、手を汚さずに絵を描くことができ、また、クレヨン３が非常に短くなっても使い難くなることがなく、また、クレヨン３が折れ難くなるという利点がある。更に、クレヨンを購入したときすぐにクレヨン３にホルダー部１を取り付けると、クレヨンの管理がし易くなるという利点がある。
【００３９】
つまり、図１１に示すように、本発明のクレヨン保持具７１を、クレヨンの色数（２４色、３６色等）に相当する本数だけ用意しておき、全てのクレヨンに本発明のクレヨン保持具７１を装着しておく。クレヨン保持具７１に装着されたクレヨンを、図１１に示すように、クレヨン専用ケース７２に入れて管理する。このようにクレヨンをクレヨン保持具７１に装着したままクレヨン専用ケース７２に入れると、長さが揃うため、クレヨンを管理し易い。
【００４０】
図１２は、本発明の第７実施形態を示すものである。この実施形態では、図１２に示すように、ホルダー部１を透明部材又は半透明部材で形成している。ホルダー部１を透明部材又は半透明部材で形成すれば、ホルダー部１内のクレヨン３の色や長さを外から確認することができる。
【００４１】
なお、クレヨンの色に相当する色のホルダー部１を用意しておき、装着されるクレヨンの色と、ホルダー部１の色を合わせるようにしても良い。また、ホルダー部１に色の名前を書いておくようにしても良い。更に、ホルダー部１に、ユーザの名前や、使い始めの年月日、メモ等を書けるようにしても良い。
【００４２】
第８実施形態．
図１３及び図１４は、本発明の第８の実施形態を示すものである。この実施形態では、図１３に示すように、クレヨン３の先端を覆う例えばゴム製のカバー８１を付属するようにしている。このようなカバー８１を付属しておくと、クレヨン挿入時に、手を汚さずに、挿入作業が行える。
【００４３】
そして、図１４に示すように、クレヨン専用ケース８０に、カバー８１と、クレヨン保持具が装着されたクレヨン９１ａ〜９１ｆとを一緒に収納するようにしている。すなわち、この実施形態では、図１４に示すように、クレヨン専用ケースの収納部８３内に、仕切壁８４ａ〜８４ｆが配設される。この仕切壁８４ａ〜８４ｆにより、収納部８３内に、収納空間８５ａ〜８５ｇが形成される。収納空間８５ａ内にカバー８１が収納され、収納空間８５ｂ〜８５ｇ内に、クレヨン保持具が装着されたクレヨン９１ａ〜９１ｆがそれぞれ収納される。
【００４４】
なお、カバー８１はクレヨン保持具が装着されたクレヨン９１ａ〜９１ｆより短いため、収納空間８５ａ内には、仕切板８６を設けられる。この仕切板８６によりカバー８１が保持され、カバー８１とクレヨン保持具が装着されたクレヨン９１ａ〜９１ｆの端が揃うようになる。
【００４５】
収納部８３に対して蓋体８７が設けられる。収納部８３には、凹部８８が設けられ、蓋体８７には、凸部８９が設けられ、収納部８８に蓋体８７を装着すると、凸部８９が凹部８８に係合し、蓋体８７が収納部８３に固定される。
【００４６】
本発明は、上述した実施形態に限定されるものではなく、本発明の要旨を逸脱しない範囲内で様々な変形や応用が可能である。
【産業上の利用可能性】
【００４７】
本発明は、クレヨンに装着するクレヨン保持具として適用される他、パステルやチョークの保持具として利用可能である。更に、ホルダー部及び可動部の内径、外径の大きさを変更することにより、他の筆記具等に応用可能である。
【図面の簡単な説明】
【００４８】
【図１】本発明の第１実施形態のクレヨン保持具の分解斜視図である。
【図２】本発明の第１実施形態における可動部の側面図である。
【図３】本発明の第１実施形態にクレヨンを装着したときのクレヨン保持具の側面図である。
【図４】本発明の第１実施形態にクレヨンを装着したときのクレヨン保持具の断面図である。
【図５】本発明の第１実施形態の説明に用いるクレヨン保持具の断面図である。
【図６】本発明の第２実施形態のクレヨン保持具の分解斜視図である。
【図７】本発明の第３実施形態におけるホルダー部の断面図である。
【図８】本発明の第４実施形態のクレヨン保持具の分解斜視図である。
【図９】本発明の第５実施形態における可動部の斜視図である。
【図１０】本発明の第６実施形態のクレヨン保持具の分解斜視図である。
【図１１】クレヨンの管理の説明に用いるクレヨン専用ケースの平面図である。
【図１２】本発明の第７実施形態の説明に用いるクレヨン保持具の側面図である。
【図１３】本発明の第８の実施形態の分解斜視図である。
【図１４】本発明の第８の実施形態の斜視図である。
【符号の説明】
【００４９】
１  ホルダー部
２  可動部
３  クレヨン
１１、１２  係合穴
２３、２４  係合爪
２５、２６  テーパ部
４１  直線状の突起部
４５、４６  テーパ部
５１  螺旋状の突起部
５５  ネジ
６１、５２  スライド部
６５  スリット部
【図１】
2006130723.tif 000003
【図２】
2006130723.tif 000004
【図３】
2006130723.tif 000005
【図４】
2006130723.tif 000006
【図５】
2006130723.tif 000007
【図６】
2006130723.tif 000008
【図７】
2006130723.tif 000009
【図８】
2006130723.tif 000010
【図９】
2006130723.tif 000011
【図１０】
2006130723.tif 000012
【図１１】
2006130723.tif 000013
【図１２】
2006130723.tif 000014
【図１３】
2006130723.tif 000015
【図１４】
2006130723.tif 000016